(57)【要約】【課題】一定の領域から無線通信端末を持ち出された場合の情報の漏洩を防止する無線通信装置、無線通信端末および無線通信システムを提案する。【解決手段】無線通信端末４は、無線通信装置３から送信された無線通信端末４との間の通信可能な距離が異なる２つの電波を受信した数に基づいて、受信電波数情報を生成し、無線通信装置３に送信する。受信電波数情報を受信した無線通信装置３は、受信電波数情報に基づいて、情報記憶装置２から無線通信端末４に書込まれた情報を消去する消去命令を、無線通信端末４に送信するか否かを判断する。受信電波数情報が１つの電波の受信を表しているとき、無線通信装置３は、無線通信端末４に消去命令を送信し、無線通信端末４は、消去命令に基づいて、情報を消去する。【選択図】図１
2008118356.tif 000002
【特許請求の範囲】
【請求項１】
携帯型の無線通信端末との間の通信可能な距離が異なる少なくとも２つの電波を送信する送信部と、
前記無線通信端末の前記送信部からの距離に応じて、前記無線通信端末が前記送信部からの前記電波を受信した数に応じた受信電波数情報を前記無線通信端末から受信する受信部と、
前記受信部により受信された前記受信電波数情報により示される電波の数に応じた指示情報を出力する制御部とを有することを特徴とする無線通信装置。
【請求項２】
前記制御部は、前記受信電波数情報が２つの電波の数を示しているとき、情報の書込みを許可する書込み許可情報を出力することを特徴とする請求項１に記載の無線通信装置。
【請求項３】
前記制御部は、前記受信電波数情報が１つの電波の数を示しているとき、前記無線通信端末が保持している情報の消去を指示する消去命令を出力することを特徴とする請求項１に記載の無線通信装置。
【請求項４】
無線通信装置の送信部との間の通信可能な距離が異なる少なくとも２つの電波を受信する受信部と、
前記無線通信装置の前記送信部からの距離に応じて、前記送信部からの前記電波を受信した数に応じた受信電波数情報を生成する受信電波数情報生成部と、
前記受信電波数情報生成部によって生成された前記受信電波数情報を送信する送信部とを有することを特徴とする無線通信端末。
【請求項５】
無線通信装置の送信部との間の通信可能な距離が異なる少なくとも２つの電波を受信する受信部と、
前記無線通信装置の前記送信部からの距離に応じて、前記送信部からの前記電波を受信した数に応じた受信電波数情報を生成する受信電波数情報生成部と、
前記受信電波数情報生成部によって生成された前記受信電波数情報を送信する送信部と、
情報を記憶する記憶部と、
外部から受信した前記受信電波数情報に応じた指示情報に基づいて前記記憶部に対する制御を行う制御部とを有することを特徴とする無線通信端末。
【請求項６】
前記指示情報は、前記記憶部に前記情報の書込みを指示する書込み命令を含むことを特徴とする請求項５に記載の無線通信端末。
【請求項７】
前記指示情報は、前記記憶部に記憶した前記情報の消去を指示する消去命令を含むことを特徴とする請求項５に記載の無線通信端末。
【請求項８】
携帯型の無線通信端末との間の通信可能な距離が異なる少なくとも２つの電波を送信する送信部と、前記無線通信端末の前記送信部からの距離に応じて、前記無線通信端末が前記送信部からの前記電波を受信した数に応じた受信電波数情報を前記無線通信端末から受信する受信部と、前記受信部により受信された前記受信電波数情報が示している電波の数に応じた指示情報を出力する制御部とを有する１または２以上の無線通信装置と、
情報を記憶する記憶部を備え、前記無線通信端末からの前記指示情報に基づく要求に応じて前記記憶部から前記情報を読み出して、前記無線通信端末に送信する情報記憶装置とを有することを特徴とする無線通信システム。
【発明の詳細な説明】
【技術分野】
【０００１】
本発明は、無線通信装置、無線通信端末および無線通信システムに関する。
【背景技術】
【０００２】
従来の技術として、無線信号によって情報を送受信する通信端末装置において、通信相手となる相手方の通信端末装置との間の端末間距離を判定する距離判定手段と、この距離判定手段によって判定された端末間距離に応じて、前記相手方の通信端末装置との通信を制御する通信制御手段とを具備したことを特徴とする通信端末装置が知られている（例えば、特許文献１参照）。
【０００３】
この通信端末装置によれば、機密性が高い情報の場合には、通信制御手段が、たとえば距離がある一定値の範囲内であり、かつ情報にアクセスできる端末の識別番号が合致する場合にだけ通信を行うように制御することによって、情報へのアクセスが許された端末が所定の範囲内にあるときだけ伝送するようになるので、情報の機密性を維持することが容易となる。
【特許文献１】特開平９−８４１１９号公報
【発明の開示】
【発明が解決しようとする課題】
【０００４】
本発明の目的は、一定の領域から無線通信端末を持ち出された場合の情報の漏洩を防止する無線通信装置、無線通信端末および無線通信システムを提案することにある。
【課題を解決するための手段】
【０００５】
本発明は、上記目的を達成するため、以下の無線通信装置、無線通信端末および無線通信システムを提供する。
【０００６】
（１）携帯型の無線通信端末との間の通信可能な距離が異なる少なくとも２つの電波を送信する送信部と、前記無線通信端末の前記送信部からの距離に応じて、前記無線通信端末が前記送信部からの前記電波を受信した数に応じた受信電波数情報を前記無線通信端末から受信する受信部と、前記受信部により受信された前記受信電波数情報により示される電波の数に応じた指示情報を出力する制御部とを有することを特徴とする無線通信装置。
【０００７】
（２）前記制御部は、前記受信電波数情報が２つの電波の数を示しているとき、情報の書込みを許可する書込み許可情報を出力することを特徴とする前記（１）に記載の無線通信装置。
【０００８】
（３）前記制御部は、前記受信電波数情報が１つの電波の数を示しているとき、前記無線通信端末が保持している情報の消去を指示する消去命令を出力することを特徴とする前記（１）に記載の無線通信装置。
【０００９】
（４）無線通信装置の送信部との間の通信可能な距離が異なる少なくとも２つの電波を受信する受信部と、前記無線通信装置の前記送信部からの距離に応じて、前記送信部からの前記電波を受信した数に応じた受信電波数情報を生成する受信電波数情報生成部と、前記受信電波数情報生成部によって生成された前記受信電波数情報を送信する送信部とを有することを特徴とする無線通信端末。
【００１０】
（５）無線通信装置の送信部との間の通信可能な距離が異なる少なくとも２つの電波を受信する受信部と、前記無線通信装置の前記送信部からの距離に応じて、前記送信部からの前記電波を受信した数に応じた受信電波数情報を生成する受信電波数情報生成部と、前記受信電波数情報生成部によって生成された前記受信電波数情報を送信する送信部と、情報を記憶する記憶部と、外部から受信した前記受信電波数情報に応じた指示情報に基づいて前記記憶部に対する制御を行う制御部とを有することを特徴とする無線通信端末。
【００１１】
（６）前記指示情報は、前記記憶部に前記情報の書込みを指示する書込み命令を含むことを特徴とする前記（５）に記載の無線通信端末。
【００１２】
（７）前記指示情報は、前記記憶部に記憶した前記情報の消去を指示する消去命令を含むことを特徴とする前記（５）に記載の無線通信端末。
【００１３】
（８）携帯型の無線通信端末との間の通信可能な距離が異なる少なくとも２つの電波を送信する送信部と、前記無線通信端末の前記送信部からの距離に応じて、前記無線通信端末が前記送信部からの前記電波を受信した数に応じた受信電波数情報を前記無線通信端末から受信する受信部と、前記受信部により受信された前記受信電波数情報が示している電波の数に応じた指示情報を出力する制御部とを有する１または２以上の無線通信装置と、情報を記憶する記憶部を備え、前記無線通信端末からの前記指示情報に基づく要求に応じて前記記憶部から前記情報を読み出して、前記無線通信端末に送信する情報記憶装置とを有することを特徴とする無線通信システム。
【発明の効果】
【００１４】
請求項１の無線通信装置によれば、一定の領域から無線通信端末を持ち出された場合の情報の漏洩を防止することができる。
【００１５】
請求項２の無線通信装置によれば、無線通信端末が、一定の領域に進入したとき、外部装置から無線通信端末の記憶部に情報の書込みを許可することができる。
【００１６】
請求項３の無線通信装置によれば、無線通信端末が、一定の領域に進入したとき、外部装置から無線通信端末の記憶部に書込まれた情報の消去を指示する消去命令を出力し、無線通信端末を持ち出された場合の情報の漏洩を防止することができる。
【００１７】
請求項４の無線通信端末によれば、受信した電波の数で、一定の領域に進入したことを外部装置に知らせるので、通信状態の影響を受けにくく、また、情報の保持を許されない領域に進入した場合の情報の漏洩を防止することができる。
【００１８】
請求項５の無線通信端末によれば、受信した電波の数で、一定の領域に進入したことを外部装置に知らせるので、通信状態の影響を受けにくく、また、その領域に応じた動作指示を外部装置から受信し、動作指示に基づいた動作を行うことができる。
【００１９】
請求項６の無線通信端末によれば、受信した電波の数で、一定の領域に進入したことを外部装置に知らせるので、通信状態の影響を受けにくく、また、外部装置から無線通信端末の記憶部に情報の書込みを許可することができる。
【００２０】
請求項７の無線通信端末によれば、無線通信端末が、一定の領域に進入したとき、外部装置から無線通信端末の記憶部に記憶された情報の消去を行い、情報の保持を許されない領域に進入した場合の情報の漏洩を防止することができる。
【００２１】
請求項８の無線通信システムによれば、無線通信端末が、一定の領域に進入したとき、情報記憶装置から無線通信端末の記憶部に記憶された情報の消去を行う消去命令を１または２以上の無線通信装置から無線通信端末に送信し、無線通信端末を持ち出された場合の情報の漏洩を防止することができる。
【発明を実施するための最良の形態】
【００２２】
以下に、本発明の無線通信装置、無線通信端末および無線通信システムの実施の形態を図面を参考にして詳細に説明していく。
【００２３】
[第１の実施の形態]
（無線通信システムの構成）
図１は、本発明の第１の実施の形態に係る無線通信システムの概略図である。
【００２４】
この無線通信システム１は、各種情報を記憶する情報記憶装置２と、情報記憶装置２と無線ＬＡＮ（Ｌｏｃａｌ  Ａｒｅａ  Ｎｅｔｗｏｒｋ）で通信を行う無線通信装置３と、情報記憶装置２と無線ＬＡＮで接続され、無線通信装置３により許可されたとき、情報記憶装置２から情報を取得する複数の無線通信端末４とで構成される。なお、通信手段は、赤外線通信や有線ＬＡＮ等も考えられ、無線ＬＡＮに限定されない。
【００２５】
無線通信装置３は、無線通信装置４と通信可能な距離が異なる２つの電波で通信を行い、無線通信端末４が存在する領域に応じて、外部から無線通信端末４に対する書込み許可、もしくは、情報記憶装置２から送信された情報の消去命令を送信することができる。
【００２６】
（情報記憶装置の構成）
図２は、本発明の第１の実施の形態に係る情報記憶装置のブロック図である。
【００２７】
情報記憶装置２は、無線通信装置３および無線通信端末４と通信を行う通信部２０と、各部を統括的に制御する制御部２１と、各種情報を記憶する記憶部２２とを有する。
【００２８】
記憶部２２は、以下に説明する、書込み可否情報と、履歴情報等が記憶されている。
【００２９】
図３は、本発明の第１の実施の形態に係る書込み可否情報の概要を示す図である。書込み可否情報は、無線通信端末４に割り当てられた識別番号である無線通信端末識別ＩＤと無線通信端末４に外部からの書込みが許可されているか否かを表す「状態」から構成される。
【００３０】
無線通信端末識別ＩＤの「ａ１２３４５」および「Ｂ５４３２１」は、それぞれが異なる無線通信端末４に割り当てられた識別番号を表している。
【００３１】
また、「状態」は、「０」と「１」があり、「０」が書込みを許可されていない状態を、「１」が無線通信端末４に対して外部からの書込みを許可された状態を表している。
【００３２】
図４は、本発明の第１の実施の形態に係る履歴情報の概要を示す図である。
【００３３】
履歴情報は、無線通信端末識別ＩＤと、上記の「状態」と、情報記憶装置２が無線通信装置４に送信した情報を表す「情報」と、その情報を送信した日時を表す「日時」と、情報記憶装置２が行った処理の内容を表す「結果」とで構成される。
【００３４】
ここで、図中の「結果」の「送信」とは、一例として、情報Ａの送信を、「消去」とは、情報Ａの消去を表している。
【００３５】
また、「結果」が「不明」とは、一例として、無線通信端末４のメモリに書込まれた情報Ｂが、消去されたか確認できないことを表している。
【００３６】
（無線通信装置の構成）
図５は、本発明の第１の実施の形態に係る無線通信装置のブロック図である。
【００３７】
無線通信装置３は、通信可能な距離が異なる２つの電波を送受信する第１アンテナ３０Ａおよび第２アンテナ３０Ｂからなるアンテナ３０と、第１送受信部３１Ａおよび第２送受信部３１Ｂからなる送受信部３１と、情報記憶装置２と無線ＬＡＮで通信を行う通信部３２と、各部を統括的に制御する制御部３３と、各種情報を記憶するメモリ３４とを有する。
【００３８】
送受信部３１は、一例として、第１アンテナ３０Ａおよび第２アンテナ３０Ｂから送信される電波に電波ＩＤを付与することによって、２つの電波の識別を可能にしている。
【００３９】
メモリ３４は、書込み許可情報等が記憶されている。書込み許可情報がメモリ３４に記憶されているとき、外部から無線通信端末４のメモリに情報の書込みが可能であることを表しており、記憶されていないときは、情報の書込みが不可能であることを表している。ここで、外部から無線通信端末４のメモリに情報の書込みが可能とは、一例として、情報記憶装置２が記憶する無線通信端末４の要求する情報を、無線通信端末４に送信することが可能であることを表している。
【００４０】
（無線通信端末の構成）
図６は、本発明の第１の実施の形態に係る無線通信端末のブロック図である。
【００４１】
無線通信端末４は、第１アンテナ４０Ａおよび第２アンテナ４０Ｂからなるアンテナ４０と、第１送受信部４１Ａおよび第２送受信部４１Ｂからなる送受信部４１と、情報記憶装置２と無線ＬＡＮで通信を行う通信部４２と、図示しない情報ボタン等を有する入力部４３と、各部を統括的に制御する制御部４４と、情報記憶装置２から送信された情報を表示する表示部４５と、無線通信端末識別ＩＤ等を記憶するメモリ４６と、受信電波数情報を生成する受信電波数情報生成部４７と、無線通信端末情報を生成する無線通信端末情報生成部４８とを有する。
【００４２】
送受信部４１は、無線通信装置３から送信された電波の中で、以下に示す、閾値を超えた強度の電波のみを受信する。
【００４３】
図７は、本発明の第１の実施の形態に係る閾値に関する図である。図７のグラフは、縦軸が電波の強度を、横軸が電波の到達距離を表している。
【００４４】
第１電波３０ａは、無線通信装置３の第１送受信部３１Ａによって第１アンテナ３０Ａを介して送信される電波を表しており、第２電波３０ｂは、第２送受信部３１Ｂによって第２アンテナ３０Ｂを介して送信される電波を表している。
【００４５】
閾値３００は、電波を受信するかしないかを決める強度の境界の値であり、第１電波３０ａとの交点を第１交点３００ａ、第２電波３０ｂとの交点を第２交点３００ｂとする。
【００４６】
到達距離が、０から第１交点３００ａの到達距離成分までを第１通信可能距離３００Ａ、第１交点３００ａの到達距離成分から第２交点３００ｂの到達距離成分までを第２通信可能距離３００Ｂとする。
【００４７】
閾値３００が変化することで、第１通信可能領域３００Ａおよび第２通信可能領域３００Ｂの通信可能領域を変えることができる。
【００４８】
なお、一例として、第１通信可能領域３００Ａでは、外部から無線通信端末４のメモリ４６に情報の書込みが可能であり、第２通信可能領域３００Ｂでは、無線通信装置３は、書込まれた情報の消去命令を行う。
【００４９】
また、書込み許可情報がメモリ４６に記憶されているときは、外部からメモリ４６に情報の書込みが可能であることを表しており、書込み許可情報がメモリ４６に記憶されていないときは、メモリ４６に情報の書込みが不可能であることを表している。
【００５０】
受信電波数情報生成部４７は、送受信部４１が受信した電波の数に基づいて、受信電波数情報を生成する。受信電波数情報は、直接的に数を表すものではなく、演算により受信した電波の数が算出できるもの、あるいは電波名やコード名、電波の種別を表した情報等で電波の数が区別でき係数できる情報としてもよい。
【００５１】
無線通信端末情報生成部４８は、無線通信端末識別ＩＤと、書込み許可情報と、受信電波数情報から成る無線通信端末情報を生成する。
【００５２】
（第１の実施の形態の動作）
以下に、本発明の第１の実施の形態に係る無線通信装置３、無線通信端末４および無線通信システム１の動作を図１から図７を参照しつつ図８および図９のフローチャートに従って説明する。
【００５３】
無線通信装置３は、第１アンテナ３０Ａから送信される第１電波３０ａと、第２アンテナ３０Ｂから送信される第２電波３０ｂとを常に外部に向け送信している。
【００５４】
（情報の要求）
無線通信端末４を所持した利用者が、第１通信可能領域３００Ａに進入し、無線通信端末４の電源を入れたとき、無線通信端末４の制御部４４は、第１電波３０ａおよび第２電波３０ｂの２つの電波をアンテナ４０を介して送受信部４１によって受信し、受信信号を受信電波数情報生成部４７に送信する。
【００５５】
受信電波数情報生成部４７は、送信された受信信号に基づいて、２つの電波を受信したことを表す受信電波数情報を生成する。
【００５６】
無線通信端末情報生成部４８は、受信電波数情報生成部４７によって生成された受信電波数情報と、制御部４４によってメモリ４６から読み出された無線通信端末識別ＩＤとからなる無線通信端末情報を生成する。
【００５７】
制御部４４は、無線通信端末情報生成部４８によって生成された無線通信端末情報を、送受信部４１によりアンテナ４０を介して無線通信装置３に送信する。
【００５８】
無線通信装置３の制御部３３は、無線通信端末４から送信された無線通信端末情報を、アンテナ３０を介して送受信部３１で受信する。
【００５９】
制御部３３は、送受信部３１で受信した無線通信端末情報に基づいて、無線通信端末４で受信された電波の数が２つだと判断する。
【００６０】
また、制御部３３は、受信された電波の数が２つであることに基づいて、書込み許可情報を生成し、メモリ３４に記憶した後、送受信部３１によりアンテナ３０を介して無線通信端末４に送信する。
【００６１】
更に、制御部３３は、書込み許可情報と、無線通信端末情報に含まれていた無線通信端末識別ＩＤを通信部３２から情報記憶装置２に送信する。
【００６２】
また、情報記憶装置２の制御部２１は、通信部２０によって書込み許可情報と無線通信端末識別ＩＤを受信し、記憶部２２に記憶される書込み可否情報を更新する。
【００６３】
無線通信装置３から送信された書込み許可情報は、アンテナ４０を介して送受信部４１によって受信され、制御部４４によって、メモリ４６に記憶される。
【００６４】
利用者が、情報記憶装置２から所望する情報を得るために、無線通信端末４の図示しない情報ボタンを押すと、入力部４３は、所望する情報を要求する入力情報を生成する。
【００６５】
制御部４４は、入力部４３によって生成された入力情報に基づいて、書込み許可情報と無線通信端末識別ＩＤをメモリ４６から読み出し、それらを無線通信端末情報生成部４８に送信する。
【００６６】
無線通信端末情報生成部４８は、入力情報と書込み許可情報と無線通信端末識別ＩＤからなる無線通信端末情報を生成する。
【００６７】
無線通信端末情報は、制御部４４によって、通信部４２から情報記憶装置２に送信される。
【００６８】
（情報の書込み）
情報記憶装置２の制御部２１は、無線通信端末４から送信された無線通信端末情報を通信部２０により受信し（Ｓ１０）、無線通信端末情報に書込み許可情報が含まれているとき（Ｓ１１；Ｙｅｓ）、無線通信端末情報に含まれる無線通信端末識別ＩＤに基づいて、記憶部２２に記憶された書込み可否情報を確認し、「状態」が「１」であるか否かを確認する。
【００６９】
これは、無線通信端末４に書込み許可があり、情報記憶装置２に記憶される書込み可否情報の該当する無線通信端末４に対する「状態」が、書込み可能を示す「１」でなければ、情報記憶装置２は、無線通信端末４に情報の送信を行わないことを示している。
【００７０】
制御部２１は、書込み可否情報の「状態」が「１」であるとき（Ｓ１２；Ｙｅｓ）、無線通信端末情報に含まれる入力情報に基づいて、記憶部２２から無線通信端末４が要求する情報を読み出し、通信部２０から無線通信端末４に送信する（Ｓ１３）。
【００７１】
無線通信端末４の制御部４４は、情報記憶装置２から送信された情報を通信部４２により受信し、メモリ４６に記憶する。利用者が、情報の表示を、入力部４３の図示しない表示ボタンで要求するとき、制御部４４は、情報を表示部４５に表示する。
【００７２】
ここで、情報記憶装置２の制御部２１は、情報を送信した後、無線通信端末識別ＩＤと送信した情報に基づいて、履歴情報を更新し、記憶部２２に記憶する（Ｓ１４）。
【００７３】
ここで、ステップ１１において、無線通信端末情報に書込み許可情報が含まれていないとき（Ｓ１１；Ｎｏ）、または、ステップ１２において、書込み可否情報の「状態」が、外部からの書込みができないことを表す「０」であったとき（Ｓ１２；Ｎｏ）、情報記憶装置２の制御部２１は、情報の送信が不可能であることをエラー情報として生成し、通信部２０から無線通信端末４に送信し、無線通信端末４の制御部４４は、通信部４２によってエラー情報を受信し、表示部４５にエラー情報に基づいた、エラーメッセージを表示させる（Ｓ１５）。
【００７４】
また、情報記憶装置２の制御部２１は、情報の送信が不可能であるとき、書込み可否情報の該当する無線通信端末識別ＩＤの「状態」を「０」とし、記憶部２２に記憶して処理を終了する（Ｓ１６）。
【００７５】
（情報の消去）
無線通信端末４を所持する利用者が、第１通信可能領域３００Ａから第２通信可能領域３００Ｂに進入したとき、無線通信端末４の制御部４４は、第２電波３０ｂのみをアンテナ４０を介して送受信部４１によって受信し、受信電波数情報生成部４７に送信する。
【００７６】
受信電波数情報生成部４７は、送信された受信信号に基づいて、１つの電波を受信したことを表す受信電波数情報を生成する。
【００７７】
無線通信端末情報生成部４８は、受信電波数情報生成部４７によって生成された受信電波数情報と、制御部４４によってメモリ４６から読み出された無線通信端末識別ＩＤとからなる無線通信端末情報を生成する。
【００７８】
制御部４４は、無線通信端末情報生成部４８によって生成された無線通信端末情報を、送受信部４１によりアンテナ４０を介して無線通信装置３に送信する。
【００７９】
無線通信装置３の制御部３３は、無線通信端末４から送信された無線通信端末情報を、アンテナ３０を介して送受信部３１で受信する。
【００８０】
無線通信装置３の制御部３３は、送受信部３１により受信した無線通信端末情報に基づいて、無線通信端末４で受信された電波が、２つの電波であるか否かを判断し、１つの電波のみを受信したと判断したとき（Ｓ２０；Ｙｅｓ）、無線通信端末情報に書込み許可情報が含まれているか否かを確認する。
【００８１】
制御部３３は、無線通信端末情報に書込み許可情報が含まれているとき（Ｓ２１；Ｙｅｓ）、情報記憶装置２が送信した情報の消去を指示する、消去命令を送受信部３１によってアンテナ３０を介して無線通信端末４に送信する（Ｓ２２）。
【００８２】
無線通信端末４の制御部４４は、送受信部４１によってアンテナ４０を介して受信した消去命令に基づいて、メモリ４６に記憶する情報記憶装置２が送信した情報を消去し、消去した結果を表す消去結果情報を生成する。
【００８３】
無線通信端末情報生成部４８は、制御部４４で生成された消去結果情報と制御部４４がメモリ４６から読み出した無線通信端末識別ＩＤとからなる無線通信端末情報を生成する。
【００８４】
制御部４４は、無線通信端末情報生成部４８によって生成された無線通信端末情報を、送受信部４１によりアンテナ４２を介して無線通信装置３に送信する。
【００８５】
無線通信装置３の制御部３３は、無線通信端末情報を送受信３１によってアンテナ３０を介して受信し（Ｓ２３）、通信部３２から情報記憶装置２へ送信する（Ｓ２４）。
【００８６】
情報記憶装置２の制御部２１は、通信部２０で無線通信端末情報を受信し、受信した無線通信端末情報に基づいて、履歴情報を更新し、記憶部２２に記憶して、処理を終了する。
【００８７】
ここで、ステップ２０において、無線通信装置３の制御部３３は、無線通信端末情報に含まれる受信電波数情報に基づいて、無線通信端末４が、１つの電波も受信していないと判断したとき（Ｓ２０；Ｎｏ）、書込み許可情報を保持する無線通信端末４が存在するか否かを、情報記憶装置２に確認する確認情報を生成し、通信部３２から情報記憶装置２に送信する。
【００８８】
情報記憶装置２の制御部２１は、通信部２０により確認情報を受信し、確認情報に基づいて、書込み可否情報を確認し、書込み許可情報を保持する無線通信端末４が存在するとき（Ｓ２５；Ｙｅｓ）、該当する無線通信端末識別ＩＤを通信部２０から無線通信装置３に送信する。
【００８９】
無線通信装置３の制御部３３は、通信部３２によって無線通信端末識別ＩＤを受信し、無線通信端末識別ＩＤに基づいて、情報の消去命令を生成し、通信部３２から該当する無線通信端末４に対して消去命令を送信する（Ｓ２２）。
【００９０】
本実施の形態においては、無線通信装置３から、情報の消去命令を送信したが、情報記憶装置２から送信してもよい。
【００９１】
無線通信端末４の制御部４４は、通信部４２によって消去命令を受信し、消去命令に基づいて、表示部４５に記憶する情報を消去し、メモリ４６に記憶する情報を消去し、情報を消去した情報である消去結果情報を生成する。
【００９２】
無線通信端末情報生成部４８は、制御部４４で生成された消去結果情報と、制御部４４がメモリ４６から読み出した無線通信端末識別ＩＤとからなる無線通信端末情報を生成し、制御部４４は、無線通信端末情報生成部４８で生成された無線通信端末情報を、通信部４２によって無線通信装置３に送信する。
【００９３】
無線通信装置３の制御部３３は、無線通信端末情報を通信部３２によって受信し（Ｓ２３）、通信部３２によって情報記憶装置２に送信する（Ｓ２４）。
【００９４】
情報記憶装置２の制御部２１は、通信部２０で無線通信端末情報を受信し、受信した無線通信端末情報に基づいて、履歴情報を更新し、記憶部２２に記憶して、処理を終了する。
【００９５】
ここで、ステップ２１において、無線通信端末情報に書込み許可情報が含まれていないとき（Ｓ２１；Ｎｏ）、無線通信装置３は、処理を終了する。
【００９６】
ここで、ステップ２５において、情報記憶装置２の書込み可否情報に、書込み許可を保持する無線通信端末４が存在しないとき（Ｓ２５；Ｎｏ）、無線通信装置３は、処理を終了する。
【００９７】
以上のことより、無線通信端末４が受信する電波の数に応じて、一定の領域から無線通信端末４を持ち出された場合の情報の漏洩を防止し、通信状態の影響を受けにくい、無線通信装置３、無線通信端末４および無線通信システム１を提供することができる。
【００９８】
[第２の実施の形態]
以下の説明において、第１の実施の形態と同一の構成および機能を有する部分については共通の符号を付している。
【００９９】
図１０は、本発明の第２の実施の形態に係る無線通信システムの概略図である。
【０１００】
この無線通信システム１は、３台の無線通信装置３が、無線ＬＡＮで１台の情報記憶装置２に接続されている。他の装置間の接続関係および構成は、第１の実施の形態と同様である。
【０１０１】
情報記憶装置２から送信された情報を記憶する無線通信端末４が、第２通信可能領域３００Ｂに進入したとき、３台の無線通信装置３は、情報の消去命令を無線通信端末４に送信する。
【０１０２】
よって、情報の消去命令を行う領域である第２通信可能領域３００Ｂが大きくなることから、一定の領域から無線通信端末４を持ち出された場合の情報の漏洩を防止し、通信状態の影響を受けにくい、無線通信装置３、無線通信端末４および無線通信システム１を提供することができる。
【０１０３】
[第３の実施の形態]
図１１は、本発明の第３の実施の形態に係る無線通信システムの概略図である。第１通信可能領域３００Ａおよび第２通信可能領域３００Ｂが重なっている場合を表している。また、無線通信端末４が保持できる情報記憶装置２から送信される情報は、１つとし、第１通信可能領域３００Ａ内に進入したことで、情報が情報記憶装置２から送信されるものとする。
【０１０４】
無線通信端末４は、情報記憶装置２からの情報を書込んだ後、次の情報を得ようと隣接する無線通信装置３に接近して、第１通信可能領域３００Ａが重なる領域に進入すると、保持していた情報は消去され、次の新しい情報を得ることができる。
【０１０５】
隣接する無線通信装置３に接近するとき、隣接する無線通信装置３の第２通信可能領域３００Ｂの中に進入する場合があるが、電波に無線通信装置３の識別ＩＤが含まれているので、隣接する無線通信装置３から消去命令を送信されることは無い。
【０１０６】
よって、情報を連続して受け取ることが可能で、かつ、一定の領域からの無線通信端末４を持ち出された場合の情報の漏洩を防止し、通信状態の影響を受けにくい、無線通信装置３、無線通信端末４および無線通信システム１を提供することができる。
【０１０７】
[第４の実施の形態]
図１２は、本発明の第４の実施の形態に係る無線通信システムの概略図である。本発明の実施の形態の無線通信装置３と無線通信端末４は、第１の実施の形態とは、アンテナおよび送受信部が異なり、他は第１の実施の形態と同様に構成されている。
【０１０８】
無線通信装置３は、通信可能な距離が異なる３つの電波を送受信する、第１アンテナ３０Ａおよび第２アンテナ３０Ｂおよび第３アンテナ３０Ｃからなるアンテナ３０と、第１送受信部３１Ａおよび第２送受信部３１Ｂおよび第３送受信部３１Ｃ（図示せず）からなる送受信部３１を有する。
【０１０９】
第３送受信部３１Ｃは、第３アンテナ３１Ｃを介して第３電波３０ｃ（図示せず）を送受信する。
【０１１０】
無線通信端末４は、第１アンテナ４０Ａおよび第２アンテナ４０Ｂおよび第３アンテナ４０Ｃ（図示せず）からなるアンテナ４０と、第１送受信部４１Ａおよび第２送受信部４１Ｂおよび第３送受信部４１Ｃ（図示せず）からなる送受信部４１とを有する。
【０１１１】
第３送受信部４１Ｃは、第３アンテナ４１Ｃを介して第３電波３０ｃ（図示せず）を送受信する。
【０１１２】
無線通信端末４が、第１電波３０ａおよび第２電波３０ｂおよび第３電波３０ｃを受信可能な領域を第１通信可能領域３００Ｃとし、第２電波３０ｂおよび第３電波３０ｃを受信可能な領域を第２通信可能領域３００Ｄとし、第３電波３０ｃを受信可能な領域を第３通信可能領域３００Ｅとする。
【０１１３】
一例として、第１通信可能領域３００Ｃを、外部から、無線通信端末４が情報の書込みの許可を受ける領域、第２通信可能領域３００Ｄを、外部から、無線通信端末４が情報の持ち出しの警告を受ける領域、第３通信可能領域３００Ｅを、外部から、無線通信端末４が情報の消去命令を受ける領域とすることによって、警告によって利用者に注意を促すことができるので、一定の領域から無線通信端末４を持ち出された場合の情報の漏洩を防止し、通信状態の影響を受けにくい、無線通信装置３、無線通信端末４および無線通信システム１を提供することができる。
【０１１４】
なお、本発明は、上記した実施の形態に限定されず、本発明の技術思想を逸脱あるいは変更しない範囲内で種々の変形が可能である。また、これらはプログラムとして図示しないメディア読取部や通信部から記憶部にインストールされ、制御部によって実現されてもよいし、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって回路として実現されてもよいし、ＲＦＩＤ（Ｒａｄｉｏ  Ｆｒｅｑｕｅｎｃｙ  Ｉｄｅｎｔｉｆｉｃａｔｉｏｎ）システムによって実現されてもよい。
【図面の簡単な説明】
【０１１５】
【図１】本発明の第１の実施の形態に係る無線通信システムの概略図である。
【図２】本発明の第１の実施の形態に係る情報記憶装置のブロック図である。
【図３】本発明の第１の実施の形態に係る書込み可否情報の概要を示す図である。
【図４】本発明の第１の実施の形態に係る履歴情報の概要を示す図である。
【図５】本発明の第１の実施の形態に係る無線通信装置のブロック図である。
【図６】本発明の第１の実施の形態に係る無線通信端末のブロック図である。
【図７】本発明の第１の実施の形態に係る閾値に関する図である。
【図８】本発明の第１の実施の形態に関する情報の書込みに関するフローチャートである。
【図９】本発明の第１の実施の形態に関する情報の消去に関するフローチャートである。
【図１０】本発明の第２の実施の形態に係る無線通信システムの概略図である。
【図１１】本発明の第３の実施の形態に係る無線通信システムの概略図である。
【図１２】本発明の第４の実施の形態に係る無線通信システムの概略図である。
【符号の説明】
【０１１６】
１・・・無線通信システム、２・・・情報記憶装置、３・・・無線通信装置、４・・・無線通信端末、２０・・・通信部、２１・・・制御部、２２・・・記憶部、３０・・・アンテナ、３０Ａ・・・第１アンテナ、３０Ｂ・・・第２アンテナ、３０Ｃ・・・第３アンテナ、３０ａ・・・第１電波、３０ｂ・・・第２電波、３０ｃ・・・第３電波、３１・・・送受信部、３１Ａ・・・第１送受信部、３１Ｂ・・・第２送受信部、３１Ｃ・・・第３送受信部、３２・・・通信部、３３・・・制御部、３４・・・メモリ、４０・・・アンテナ、４０Ａ・・・第１アンテナ、４０Ｂ・・・第２アンテナ、４０Ｃ・・・第３アンテナ、４１・・・送受信部、４１Ａ・・・第１送受信部、４１Ｂ第２送受信部、４１Ｃ・・・第３送受信部、４２・・・通信部、４３・・・入力部、４４・・・制御部、４５・・・表示部、４６・・・メモリ、４７・・・受信電波数情報生成部、４８・・・無線通信端末情報生成部、３００・・・閾値、３００Ａ・・・第１通信可能領域、３００Ｂ・・・第２通信可能領域、３００Ｃ・・・第１通信可能領域、３００Ｄ・・・第２通信可能領域、３００Ｅ・・・第３通信可能領域
【図１】
2008118356.tif 000003
【図２】
2008118356.tif 000004
【図３】
2008118356.tif 000005
【図４】
2008118356.tif 000006
【図５】
2008118356.tif 000007
【図６】
2008118356.tif 000008
【図７】
2008118356.tif 000009
【図８】
2008118356.tif 000010
【図９】
2008118356.tif 000011
【図１０】
2008118356.tif 000012
【図１１】
2008118356.tif 000013
【図１２】
2008118356.tif 000014